【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
無線通信システムにおけるリバースリンクレート割り当てのための方法において、
フォワードリンクのチャネル品質を決定することと、
前記フォワードリンクのチャネル品質の機能として最大リバースリンクデータレートを決定することと、
前記リバースリンク上に、前記最大リバースリンクデータレート以下でデータを送信することと、
を備えた方法。
【請求項２】
前記フォワードリンクの前記チャネル品質を決定することは、サービングセクタの前記フォワードリンクの信号対雑音比を測定することを備え、前記最大リバースリンクデータレートを決定することは、前記サービングセクタの前記フォワードリンクの信号対雑音比をしきい値と比較することを備えた、請求項１の方法。
【請求項３】
前記リバースリンクは複数のデータレートをサポートし、遷移確率は、前記複数のデータレート間の遷移に割り当てられる、請求項２の方法。
【請求項４】
前記チャネル品質を決定することは、前記フォワードリンクの捕捉された信号対雑音比を測定することによりフォワードリンクのチャネル品質を決定することを具備する、請求項１の方法。
【請求項５】
無線通信システムにおけるリバースリンクレート割り当てのための方法において、
リバースリンクのためのデータレートを識別するデータレート制御要求を決定することと、
前記データレート制御要求の関数として最大リバースリンクデータレートを決定することと、
前記リバースリンク上で、前記最大リバースリンクデータレート以下でデータを送信することと、
を備えた方法。
【請求項６】
無線通信システムにおけるリバースリンク割り当てのための方法において、
リバースリンクのチャネル品質を決定することと、
前記リバースリンクの前記チャネル品質の関数として最大リバースリンクデータレートを決定することと、
前記リバースリンク上で、前記最大リバースリンクデータレート以下でデータを送信することと、
を備えた方法。
【請求項７】
無線通信システムにおけるリバースリンクレート割り当てのための方法において、
第一セクタに関連した第１基地局からの第１の熱値に関する上昇を受信することと、
第２セクタに関連した第２基地局から第２の熱値に関する上昇を受信することであって、前記第１セクタおよび第２セクタは隣接するセクタであることと、
前記第１の熱値に関する上昇を前記第２の熱値に関する上昇と比較することと、
前記第１の熱値に関する上昇と前記第２の熱値に関する上昇との比較に基づいてリバースリンク最大データレートを設定することと、
を備えた方法。
【請求項８】
無線通信システムにおけるリバースリンク割り当てのための装置において、
フォワードリンクのチャネル品質を決定するための手段と、
フォワードリンクのチャネル品質の関数として最大リバースリンクデータレートを決定するための手段と、
前記リバースリンク上で、最大リバースリンクデータレート以下のデータレートでデータを送信する手段と、
を備えた装置。
【請求項９】
前記フォワードリンクの前記チャネル品質を決定する手段は、前記フォワードリンクの信号対雑音比を測定する手段を備え、前記最大リバースリンクデータレートを決定する手段は、前記フォワードリンクの前記信号対雑音比をしきい値と比較する手段を備えた、請求項８の装置。
【請求項１０】
前記リバースリンクは、複数のデータレートをサポートし、遷移確率は、前記複数のデータレート間の遷移に割り当てられる、請求項９の装置。
【請求項１１】
無線通信システムにおけるリバースリンクレート割り当てのための装置において、
リバースリンクのためのデータレートを識別するデータレート制御要求を決定する手段と、
前記データレート制御要求の関数として最大リバースリンクデータレートを決定する手段と、および
前記リバースリンク上に、前記最大リバースリンクデータレート以下のデータレートでデータを送信する手段と、
を備えた装置。
【請求項１２】
前記データレート制御要求を決定する手段は、
フォワードリンクの信号対雑音比を測定するための手段と、
前記フォワードリンクの前記信号対雑音比をしきい値と比較するための手段とを備えた、請求項１１の装置。
【請求項１３】
無線通信システムにおけるリバースリンクレート割り当てのための装置において、
リバースリンクのチャネル品質を決定する手段と、
前記リバースリンクの前記チャネル品質の関数として最大リバースリンクデータレートを決定する手段と、
前記リバースリンク上で、前記最大リバースリンクデータレート以下のデータレートでデータを送信する手段と、
を備えた装置。
【請求項１４】
前記リバースリンクの前記チャネル品質を決定する手段は、
関連する送信パイロット電力を有するリバースリンクパイロット信号を送信する手段と、
前記リバースリンクの平均送信パイロット電力を計算する手段と、
前記リバースリンクの瞬時の送信パイロット電力を計算する手段と、
前記リバースリンクの前記瞬時の送信パイロット電力を前記リバースリンクの前記平均送信パイロット電力と比較する手段と、
をさらに備えた、請求項１３の装置。
【請求項１５】
前記リバースリンクの前記平均送信パイロット電力を計算する手段は、第１の数のタイムスロットに対して前記送信パイロット電力をフィルタリングする手段を含む、請求項１４の装置。
【請求項１６】
無線通信システムにおけるリバースリンクレート割り当てのための装置において、
第一セクタのための前記フォワードリンクの第１の熱値に関する上昇を測定する手段と、
第２のセクタのための前記フォワードリンクの第２の熱値に関する上昇を測定する手段と、
前記第１の熱値に関する上昇と前記第２の熱値に関する上昇とを比較する手段と、
前記第１の熱値に関する上昇と前記第２の熱値に関する上昇との比較に基づいて、リバースリンク最大データレートを設定する手段と、
を備えた装置。
【請求項１７】
前記第１および第２のセクタは隣接している、請求項１６の装置。
【請求項１８】
前記リバースリンク最大データレートを設定する手段は、
前記第１および第２の熱値に関する上昇間の差分を決定する手段と、
前記差分をしきい値と比較する手段と、
を備えた、請求項１７の装置。
【請求項１９】
無線通信システムにおけるリバースリンクレート割り当てのための装置において、
コンピュータ読み取り可能な命令を記憶するように適合されたメモリ記憶装置と、
前記メモリ記憶装置に接続され、
フォワードリンクのチャネル品質を決定することと、
フォワードリンクのチャネル品質の関数として最大リバースリンクデータレートを決定することと、
前記リバースリンク上で、最大リバースリンクデータレート以下のデータレートでデータを送信することと、
に適合した処理装置と、
を備えた装置。
【請求項２０】
無線通信システムにおけるリバースリンクレート割り当てのための装置において、
コンピュータ読み取り可能な命令を記憶するように適合されたメモリ記憶装置と、
前記メモリ記憶装置に接続され、
前記リバースリンクのためのデータレートを識別するデータレート制御要求を決定することと、
前記データレート制御要求の関数として最大リバースリンクデータレートを決定することと、
前記リバースリンク上で、前記最大リバースリンクデータレート以下のデータレートでデータを送信することと、
に適合した処理装置と、
を備えた装置。
【請求項２１】
無線通信システムにおけるリバースリンクレート割り当てのための装置において、
コンピュータ読み取り可能な命令を記憶するように適合されたメモリ記憶装置と、
前記メモリ記憶装置に接続され、
第一セクタのための前記フォワードリンクの第１の熱値に関する上昇を測定することと、
第２セクタのための前記フォワードリンクの第２の熱値に関する上昇を測定することと、
前記第１の熱値に関する上昇と前記第２の熱値に関する上昇とを比較することと、
前記第１の熱値に関する上昇と前記第２の熱値に関する上昇との比較に基づいて、リバースリンクデータレートを設定することと、
に適合した処理装置と、
を備えた装置。
【請求項２２】
複数のデータレートをサポートする無線通信システムにおけるリバースリンクレート割り当てのための方法であって、前記データレートは、前記複数のデータレート間の遷移のための遷移確率の対応するセットを有する、方法において、
遷移確率の少なくとも１つを調節することと、
前記リバースリンクのための送信データレートを決定するために前記遷移確率を適用することと、
を備えた方法。
【請求項２３】
複数のデータレートをサポートする無線通信システムにおけるリバースリンクレート割り当てのための方法であって、前記データレートは、前記複数のデータレート間の遷移のための遷移確率の対応するセットを有する、方法において、
所望のレートプロファイルを決定することと、
前記所望のレートファイルを達成するために前記遷移確率の少なくとも１つを調節することと、
無線リンクを介して前記遷移確率を送信することと、
を備えた方法。
【請求項２４】
前記レートプロファイルは、チャネル品質の関数として前記システムのスループットを記載する、請求項２３の方法。
【請求項２５】
前記レートプロファイルは、アクセス端末からの距離の関数として前記システムのスループットを記載する、請求項２４の方法。
【請求項２６】
複数のデータレートをサポートする無線通信システムにおけるリバースリンクレート割り当てのための装置であって、前記データレートは、前記複数のデータレート間の遷移のための遷移確率の対応するセットを有する、装置において、
前記遷移確率の少なくとも１つを調節する手段と、
前記リバースリンクのための送信データレートを決定するために前記遷移確率を適用する手段と、
を備えた装置。
【請求項２７】
複数のデータレートをサポートする無線通信システムにおけるリバースリンクレート割り当てのための装置であって、前記データレートは、前記複数のデータレート間の遷移のための遷移確率の対応するセットを有する、装置において、
所望のレートプロファイルを決定する手段と、
前記所望のレートプロファイルを達成するために、前記遷移確率の少なくとも１つを調節する手段と、
無線リンクを介して前記遷移確率を送信する手段と、
を備えた装置。
【請求項２８】
前記レートプロファイルは、チャネル品質の関数として前記システムのスループットを記載する、請求項２７の装置。
【請求項２９】
前記レートプロファイルは、アクセス端末のからの距離の関数として前記システムのスループットを記載する、請求項２８の方法。
【請求項３０】
複数のデータレートをサポートする無線通信システムにおけるリバースリンクレート割り当てのための装置であって、前記データレートは、前記複数のデータレート間の遷移のための遷移確率の対応するセットを有する、装置において、
コンピュータ読み取り可能な命令を記憶するように適合されたメモリ記憶装置と、
前記メモリ記憶装置と接続され、
前記遷移確率の少なくとも１つを調節することと、
前記リバースリンクの送信データレートを決定するために前記遷移確率を適用することと、
に適合する処理装置と、
を備えた装置。
【請求項３１】
複数のデータレートをサポートする無線通信システムにおけるリバースリンクレート割り当てのための装置であって、前記データレートは、前記複数のデータレート間の遷移のために遷移確率の対応するセットを有する、装置において、
コンピュータ読み取り可能な命令を記憶するように適合されたメモリ記憶装置と、
前記メモリ記憶装置に接続され、
所望レートプロファイルを決定することと、
前記所望のレートプロファイルを達成するために前記遷移確率の少なくとも１つを調節することと、
無線リンクを介して前記遷移確率を送信することと、
に適合した処理装置と、
を備えた装置。
【請求項３２】
複数のデータレートをサポートする無線通信システムにおけるリバースリンクレート割り当てのための装置であって、前記データレートは、前記複数のデータレート間の遷移のために遷移確率の対応するセットを有する、装置において、
コンピュータ読み取り可能な命令を記憶するように適合されたメモリ記憶装置と、
前記メモリ記憶装置に接続され、
所望のレートプロファイルを決定することと、
前記所望のレートプロファイルを達成するために、前記遷移確率の少なくとも１つを調節することと、
無線リンクを介して前記遷移確率を送信することと、
に適合した処理装置と、
を備えた装置。
【請求項３３】
複数のデータレートをサポートする無線通信システムにおけるリバースリンクレート割り当てのための方法であって、前記データレートは、前記複数のデータレート間の遷移のための遷移確率の対応するセットを有する、方法において、
第一セクタに関連した第１基地局から第１の熱値に関する上昇を受信することと、
第２のセクタに関連した第２の基地局から第２の熱値に関する上昇を受信することであって、前記第１セクタおよび第２セクタは隣接していることと、
前記第１の熱値に関する上昇を前記第２の熱値に関する上昇と比較することと、
前記第１の熱値に関する上昇と前記第２の熱値に関する上昇との比較に基づいて前記遷移確率のセットを調節することと、
を備えた方法。
【請求項３４】
前記遷移確率のセットを調節することは、
第１および第２の熱値に関する上昇間の差分を決定することと、
前記差分をしきい値と比較することと、
を備えた、請求項３３の方法。
【請求項３５】
複数のデータレートをサポートする無線通信システムにおけるリバースリンクレート割り当てのための装置であって、前記データレートは、前記複数のデータレート間の遷移のための遷移確率の対応するセットを有する、装置において、
第一セクタに関連した第１基地局から第１の熱値に関する上昇を受信する手段と、
第２のセクタに関連した第２の基地局から第２の熱値に関する上昇を受信する手段であって、前記第１セクタおよび第２セクタは隣接している、手段と、
前記第１の熱値に関する上昇と前記第２の熱値に関する上昇とを比較する手段と、
前記第１の熱値に関する上昇と前記第２の熱値に関する上昇との比較に基づいて前記遷移確率のセットを調節する手段と、
を備えた装置。
【手続補正２】
【補正対象書類名】明細書
【補正対象項目名】０００３
【補正方法】変更
【補正の内容】
【０００３】
パケット化されたデータ通信をサポートするシステムのような無線通信システムにおいて、アクセスネットワーク(ＡＮ）からのまたはシステムインフラストラクチャ、アクセス端末、または遠隔ユーザへの送信のための無線リンクは、ダウンリンクまたはフォワードリンク（ＦＬ）と呼ばれる。ＡＴからＡＮまでの伝送のための無線リンクは、アップリンクまたはリバースリンク(ＲＬ）と呼ばれる。各ＡＴはＲＬ送信のための適切なデータレートを決定する。ＡＴからＲＬ送信レートを決定するための種々の方法は、この譲受人に譲渡され、１９９９年９月３０日に出願された、米国特許出願番号０９／４１０、１９９を有し、２００３年３月１８日に米国特許第６，５３５，５２３号として発行された、ガジ  カルミ(Gadi Karmi)他による「使用レート割り当ての永続ベクトルに基づいた変更のためのシステムおよび方法」(SYSTEM AND METHOD FOR PERSISTENCE-VECTOR-BASED MODIFICATION OF USAGE RATE ASSIGNMENT)に議論されている。
【手続補正３】
【補正対象書類名】明細書
【補正対象項目名】００１４
【補正方法】変更
【補正の内容】
【００１４】
ＡＴがソフトハンドオフ状態にあるとき、そのオーバーヘッドチャネルおよびトラヒック送信は複数のセルで復号される。ＲＬレート成形は、ＦＬサービングセクタＳＩＮＲ以外の基準に基づくことができる。レート成形基準は、ＦＬ捕捉ＳＩＮＲ（すなわちアクティブセット内のすべてのパイロットのＳＩＮＲの合計)に基づいていてもよい。以下に議論されるように、図２Ｂは、複数のセクタおよび複数の移動局、あるいはＡＴを考慮したＲＬのためのレートプロファイルを図解する。図示するように、それは、マルチセクタレイアウトにおけるＦＬ  ＳＩＮＲに基づいたＲＬレートの輪郭プロットである。明るいエリアはより良いチャネル状態に相当する。チャネル状態は送信器からの距離に従って劣化する。セクタ境界は図にオーバーレイされる。
【手続補正４】
【補正対象書類名】明細書
【補正対象項目名】００３８
【補正方法】変更
【補正の内容】
【００３８】
図１に関して、セクタ１１２および１１４のためのＲＯＴの比較は基地局コントローラ（ＢＳＣ）（図示せず）で行なわれる。各ＢＳはＢＳによりサービスされるセクタに対応するＲＯＴ値を送信する。従って、ＢＳＣは、最大ＲＬデータレートおよび／またはセクタ内のアクセス端末（ＡＴｓ）のための遷移確率を調節してもよい。一例として、所定の目標ｒt．を内蔵するシステムを考える。この場合、目標ｒt．を超える３ｄＢより大きいＲＯＴは、そのセクタに対する負荷状態を示す。第一セクタがｒ1＝ｒt−３ｄＢとして計算されたＲＯＴを有し、第２セクタがｒ2＝ｒt＋（３ｄＢ）として計算されたＲＯＴを有するなら、ＢＳＣは以下のように計画を実施することを決定してもよい。セクタ１を含むがセクタ２を含まないアクティブセット(ＡＳ）を有する移動局（ＭＳ）の場合、ＢＳＣは、ＭＳの最大データレートを低下させるかもしれない。ＭＳは負荷がかけられていないセクタ１と通信状態にあるが、負荷がかけられていないセクタ２を利用することができない。それゆえ、ＭＳがより低い最大データレートに制限されていない限り、ＭＳは重大な干渉を引き起こすかもしれない。
【手続補正５】
【補正対象書類名】図面
【補正対象項目名】図１
【補正方法】変更
【補正の内容】
【図１】
2006506854.tif 000001